(57)【要約】  経血の吸収速度を向上するとともに、天然繊維を使用して身体への安全性に優れ、かつ、天然繊維の毛羽立ちを抑制することのできる生理用タンポンの提供。  生理用タンポン（１０）の吸収体（２０）は、吸水性繊維（３１）を有する吸収層（３０）と、吸収層（３０）を被覆する、親水性かつ透液性の繊維不織布から形成された被覆層（４０）とを備える。被覆層（４０）は、天然繊維（４１）を含み、吸収体（２０）の全域には、被覆層（４０）から吸収体（２０）の内部まで延びる複数の凹部（６０）が形成されていて、天然繊維（４１）は、前記長手方向（Ｙ）において互いに隣り合う前記凹部（６０）間の離間距離よりも大きい繊維長を有し、吸収層（３０）の吸水性繊維（３１）と被覆層（４０）の天然繊維（４１）とが、凹部（６０）において互いに絡み合っている。
2020089980.tif 000002
【特許請求の範囲】
【請求項１】
長手方向及び短手方向を有し、吸液性の吸収体と、前記吸収体を膣空内から引き取るためのコードとを備えた生理用タンポンにおいて、
前記吸収体は、吸水性繊維を有する吸収層と、前記吸収層を被覆する、親水性かつ透液性の繊維不織布から形成された被覆層とを備え、
前記被覆層は、天然繊維を含み、
前記吸収体の全域には、前記被覆層から前記吸収体の内部まで延びる複数の凹部が形成されていて、
前記天然繊維は、前記長手方向において互いに隣り合う前記凹部間の離間距離よりも大きい繊維長を有し、
前記吸収層の前記吸水性繊維と前記被覆層の前記天然繊維とが、前記凹部において互いに絡み合っていることを特徴とする前記生理用タンポン。
【請求項２】
前記吸収層の前記吸水性繊維の繊維長は、前記被覆層の天然繊維の繊維長よりも大きい請求項１に記載のタンポン。
【請求項３】
前記吸収体は、厚さ方向と、前記厚さ方向において対向する第１面と第２面とを有し、前記第１面及び第２面において前記複数の凹部が前記長手方向に並べられることによって複数の列が形成されており、前記短手方向において隣り合う列どうしの前記凹部は、前記短手方向において互いに並ぶように配置されていない請求項１又は２に記載のタンポン。
【請求項４】
前記天然繊維と前記吸水性繊維とは、前記長手方向へ配向している請求項３に記載のタンポン。
【請求項５】
前記天然繊維は、有機栽培されたコットン繊維である請求項１〜４のいずれかに記載されたタンポン。
【請求項６】
前記被覆層は、前記有機栽培されたコットン繊維のみから形成される請求項５に記載されたタンポン。
【請求項７】
前記吸収層は、繊維束を複数重ねて形成した積層体であって、前記被覆層は、スパンレース繊維不織布から形成されている請求項１〜６のいずれかに記載されたタンポン。
【請求項８】
前記被覆層は、前記吸収層を被覆する主体部と、前記主体部から延出する延出部分とをさらに有し、前記延出部分は前記主体部に折り重ねた状態で前記凹部を介して仮止めされている請求項１〜７のいずれかに記載のタンポン。
【発明の詳細な説明】
【技術分野】
【０００１】
本発明は、生理用タンポンに関する。
【背景技術】
【０００２】
従来、生理用タンポンは、公知である。例えば、特許文献１には、吸液性の吸収体と、吸収体を膣腔内から引き取るためのコードとを備えた生理用タンポンが開示されている。吸収体は、吸収層と、吸収層の全体を被覆する疎水性かつ透液性の被覆層とを有する。また、特許文献２には、無農薬有機（オーガニック）栽培された天然繊維を使用した衛生生理用品が開示されている。
【先行技術文献】
【特許文献】
【０００３】
【特許文献１】特開２００１−８９６４号公報（Ｐ２００１−８９６４Ａ）
【特許文献２】特開２００６−１５００１０号公報（Ｐ２００６−１５００１０Ａ）
【発明の概要】
【発明が解決しようとする課題】
【０００４】
特許文献１に開示された生理用タンポンにおいては、吸収体の吸収層の表面にその内部へ延びる複数の凹部が形成されていることによって、経血の吸収速度が向上し、タンポンの表面に色残りが少なく、使用後において取り出したタンポンの見た目が悪くなることはなく、使用者に対して不快感を与えるおそれはない。【０００５】
しかしながら、複数の凹部は、吸収体のうちの吸収層にのみ形成されていて、吸収層を被覆する被覆層には形成されていないことから、吸収体の表面に位置する吸収面積が変化することはない。加えて、被覆層は疎水性であるから、内方側に位置する吸収層への経血の移行自体がし難く、所要の吸収速度を発揮することができないおそれがある。【０００６】
また、特許文献２に開示された衛生生理用品においては、構成材料に無農薬有機栽培された天然繊維（コットン繊維、麻繊維）を使用することによって、合成樹脂や化学物質等による身体への負荷がなく、身体への安全性に優れる。【０００７】
しかしながら、天然繊維は合成繊維等に比べて毛羽立ち易く、例えば、生理用タンポンの被覆層に天然繊維を使用した場合には、使用後に膣腔内から引き出すときに膣空内に天然繊維の一部が取り残されてしまうおそれがある。【０００８】
本発明は、従来の生理用タンポンの改良であって、経血の吸収速度を向上するとともに、天然繊維を使用して身体への安全性に優れ、かつ、天然繊維の毛羽立ちを抑制することのできる生理用タンポンの提供に関する。
【課題を解決するための手段】
【０００９】
前記課題を解決するために、本発明は、長手方向及び短手方向を有し、吸液性の吸収体と、前記吸収体を膣空内から引き取るためのコードとを備えた生理用タンポンに関する。【００１０】
本発明に係る生理用タンポンは、前記吸収体は、吸水性繊維を有する吸収層と、前記吸収層を被覆する、親水性かつ透液性の繊維不織布から形成された被覆層とを備え、前記被覆層は、天然繊維を含み、前記吸収体の全域には、前記被覆層から前記吸収体の内部まで延びる複数の凹部が形成されていて、前記天然繊維は、前記長手方向において互いに隣り合う前記凹部間の離間距離よりも大きい繊維長を有し、前記吸収層の前記吸水性繊維と前記被覆層の前記天然繊維とが、前記凹部において互いに絡み合っていることを特徴とする。【００１１】
本発明に係る生理用タンポンの実施態様の一つにおいて、前記吸収層の前記吸水性繊維の繊維長は、前記被覆層の天然繊維の繊維長よりも大きい。【００１２】
本発明に係る生理用タンポンの実施態様の一つにおいて、厚さ方向と、前記厚さ方向において対向する第１面と第２面とを有し、前記第１面及び第２面において前記複数の凹部が前記長手方向に並べられることによって複数の列が形成されており、前記短手方向において隣り合う列どうしの凹部は、前記短手方向において互いに並ぶように配置されていない。【００１３】
本発明に係る生理用タンポンの実施態様の一つにおいて、前記天然繊維と前記吸水性繊維とは、前記長手方向へ配向している。【００１４】
本発明に係る生理用タンポンの実施態様の一つにおいて、前記天然繊維は、有機栽培されたコットン繊維である。【００１５】
本発明に係る生理用タンポンの実施態様の一つにおいて、前記被覆層は、前記有機栽培されたコットン繊維のみから形成される。【００１６】
本発明に係る生理用タンポンの実施態様の一つにおいて、前記吸収層は、繊維束を複数重ねて形成した積層体であって、前記被覆層は、スパンレース繊維不織布から形成されている。【００１７】
本発明に係る生理用タンポンの実施態様の一つにおいて、前記被覆層は、前記吸収層を被覆する主体部と、前記主体部から延出する延出部分とをさらに有し、前記延出部分は前記主体部に折り重ねた状態で前記凹部を介して仮止めされている。
【発明の効果】
【００１８】
本発明に係る生理用タンポンでは、吸収体の全域に被覆層から吸収体の内部まで延びる複数の凹部が形成されていることによって、吸収面積を拡げて拡散性及び吸収速度に優れる。また、天然繊維を使用することで身体に対する安全性が向上するとともに、天然繊維の毛羽立ちを抑制することができる。
【図面の簡単な説明】
【００１９】
図面は、本発明の特定の実施の形態を示し、発明の不可欠な構成ばかりでなく、選択的及び好ましい実施の形態を含む。
【図１】本発明に係る、生理用タンポンの斜視図。
【図２】タンポン本体の平面図。
【図３】（ａ）図２のＩＩＩ（ａ）−ＩＩＩ（ａ）線に沿う断面図。（ｂ）図２の一点鎖線ＩＩＩ（ｂ）で囲んだ領域の一部拡大図。
【図４】図３のＩＶ−ＶＩ線に沿う断面図。
【図５】（ａ）図１のＶ（ａ）線で囲んだ領域の一部拡大図。（ｂ）使用後における、図５（ａ）と同様の図。
【発明を実施するための形態】
【００２０】
下記の実施の形態は、図１〜図５に示す生理用タンポン１０に関し、発明の不可欠な構成ばかりでなく、選択的及び好ましい構成を含む。
【００２１】
図１〜図３を参照すると、本発明の生理用タンポンの一例として示す、生理用タンポン１０は、長手方向Ｙと短手方向Ｘとを有し、吸収体（タンポン本体）２０と、吸収体２０から延出する、使用後に膣空内から吸収体２０を引き取るためのコード１１とを含む。コード１１は、吸収体２０の短手方向Ｘの中央に位置する中央部分において長手方向Ｙへ延びる縫合ライン９を介して、吸収体２０に取り付けられている。
【００２２】
吸収体２０は、厚さ方向Ｚにおいて互いに対向する第１面２１ａ及び第２面２１ｂと有し、凸曲状の第１端縁２０ａと、略Ｖ字状の第２端縁２０ｂと、第１及び第２端縁２０ａ，２０ｂ間において長手方向Ｙへ延びる両側縁２０ｃ，２０ｄとを有する。吸収体２０は、図示された略矢羽根状のほかに、三角状、矩形状、円柱状、角柱状等の各種公知の形状を有していてもよい。
【００２３】
吸収体２０は、吸水性繊維を有する吸収層３０と、吸収層を被覆する被覆層４０とを含む。吸収層３０と被覆層４０とは、縫合ライン９において互いに接合されている。
【００２４】
吸収層３０は、経血を吸収、保持することができる構成繊維を含むものであって、主としてレーヨン繊維、パルプ繊維、コットン繊維等の吸水性繊維を含み、吸水性繊維のほかに、ポリプロピレン繊維やポリエチレン繊維等の熱可塑性の合成繊維を有していてもよい。吸収層３０は、構成繊維を所要の形状に賦形したものであって、吸収体と同形状を有している。図示例では、吸収層３０は、構成繊維を所要の形状に賦形した繊維塊状によって形成されているが、所要の吸収性能を発揮する限りにおいて、スパンレース繊維不織布、エアスルー繊維不織布等の各種公知の繊維不織布を積層して形成してもよい。
【００２５】
被覆層４０は、吸収層３０全体を包被する、親水性かつ透液性を有する繊維不織布から形成される。具体的には、被覆層４０は、コットン繊維、パルプ繊維等の天然繊維のほかに、レーヨン等の合成繊維を用いたスパンレース繊維不織布から形成することができる。ここで、被覆層４０が親水性を有するとは、被覆層４０の構成繊維において親水性繊維が合成繊維よりも多く含まれていて、好ましくは、親水性繊維の含有率が６０％以上であることを意味する。また、被覆層４０が透液性を有するとは、被覆層４０の表面に付着した経血が速やかに内部に位置する吸収層３０に移行できる程度の繊維間隙や表面加工による複数の開孔を有することを意味する。
【００２６】
本実施形態においては、親水性の天然繊維として、無農薬有機（オーガニック）栽培されたコットン繊維が使用されている。使用者の膣腔内に直接触れる被覆層４０にオーガニックのコットン繊維を使用することによって、化学物質を含む合成樹脂や化学繊維を使用する場合に比して、身体に対しての安全性が向上し、使用者は安心して生理用タンポン１０を使用することができる。
【００２７】
被覆層４０を構成する親水性繊維のうちオーガニックのコットン繊維の含有率は、少なくとも７０％以上であることが好ましく、さらに好ましくは、含有率が１００％であって、被覆層４０がオーガニックのコットン繊維のみから形成されていてもよい。被覆層４０がオーガニックのコットン繊維のみから形成されている場合には、吸収体２０の外面全体に農薬等の化学物質を含む繊維が含まれることがないので、天然素材由来の身体に対して完全に安全な材料のみを体内に挿入することで、使用者に対して夜間等において長時間使用しても身体に影響を与えることがないという安心感を与えることができる。
【００２８】
コード１１は、ナイロンやポリエステル等の合成繊維や天然繊維等から形成されるものであって、使用後に膣腔内に位置する、経血を吸収した吸収体２０を安全に取り出すことのできる程度の引張強度を有する。具体的には、吸収体２０を取り出すときに切断されないように、約５Ｎ以上の引張強度を備えることが好ましい。なお、コード１１には、使用者が操作するときに経血が付着するのを抑制するために、撥水処理が施されていてもよい。
【００２９】
図２及び図３（ａ），（ｂ）を参照すると、吸収体２０は、複数の凹部６０を有する。複数の凹部６０は、吸収体２０の全域、すなわち、第１面２１ａ及び第２面２１ｂに配置されており、被覆層４０から吸収層３０の内部まで延びている。複数の凹部６０は、略円形状であって、長手方向Ｙ及び短手方向Ｘにおいて互いに間隔を空けて配置されている。具体的には、複数の凹部６０は、短手方向Ｘにおいて離間し、かつ、長手方向Ｙへ延びる複数の列をなすように配置されていて、互いに隣り合う列の凹部６０どうしは短手方向Ｘにおいて重ならないように位置している。したがって、図３（ｂ）を参照すると、例えば、任意の第１列Ｌ１の凹部６１ａは、第１列Ｌ１と隣り合う第２列Ｌ２の凹部６２ａと短手方向Ｘにおいて互いに重ならないように配置されている。
【００３０】
各列における凹部６０どうしの離間寸法（ピッチ）、すなわち、例えば、第１列Ｌ１の凹部６１ａ，６１ｂ間の離間寸法Ｒ１どうしは互いに同じ大きさであってもよいし、相違していてもよい。また、第１列Ｌ１の凹部６１ａと第２列Ｌ２の凹部６２ａとの離間寸法Ｒ２どうしは、互いに同じ大きさであってもよいし、相違していてもよい。さらに、離間寸法Ｒ１，Ｒ２どうしは、互いに同じ大きさであってもよいし、相違していてもよい。ここで、離間寸法Ｒ１，Ｒ２は、凹部６０の中心点間の離間寸法を意味する。
【００３１】
吸収体２０は、全域において複数の凹部６０を有することによって、その表面が平坦状である場合に比べて経血を吸収することのできる吸収面積（表面面積）が大きくなる。したがって、吸収体２０を膣空内に挿入して経血を吸収するときにより多くの経血を吸収することができる。加えて、複数の凹部６０は、被覆層４０から吸収層３０の内部に延びていることから、経血を凹部６０に引き込んで凹部６０の内周面から吸収層３０へ速やかに吸収することができる。
【００３２】
図４を参照すると、凹部６０において、被覆層４０を構成する（オーガニック）コットン繊維４１が、吸収層３０の内部に進入している。具体的には、凹部６０の内周面や底面を形成する吸収層３０の吸水性繊維３１の繊維間隙にコットン繊維４１が進入して互いに絡み合っている。このように、凹部６０において被覆層４０のコットン繊維４１と吸収層３０の吸水性繊維３１とが互いに絡み合うことによって、被覆層４０と吸収層３０とが安定的に結合されて被覆層４０から吸収層３０への経血の移行を確実に、かつ速やかに行うことができる。
【００３３】
このように、凹部６０において繊維どうしを交絡させる方法としては、例えば、吸収体２０に対して高圧の流体を噴射する流体処理又は複数のピンで加圧するエンボスピン加工を用いることができる。
【００３４】
図示していないが、生理用タンポン１０は、膣腔内へ挿入するためのアプリケータに吸収体２０が略円筒状に圧縮された状態で収容される。また、アプリケータを用いて挿入操作を行うことによって、吸収体２０は、使用するときにも膣腔内へ略円筒状に圧縮された状態のまま挿入されるが、第１面２１ａ又は第２面２１ｂのいずれかが外面側に位置することによって、複数の凹部６０に経血を移動させて速やかに保持、吸収させることができる。
【００３５】
コットン繊維４１は、長手方向Ｙにおいて互いに隣り合う凹部６０間の離間距離Ｒ１よりも大きい繊維長を有している。図４を参照すると、コットン繊維４１の繊維長が、凹部６１ａと凹部６１ｂとの間に位置する離間部分の寸法（離間寸法）Ｒ１よりも大きいことから、コットン繊維４１の一方端４１ａが凹部６１ａを形成する吸水性繊維３１と絡み合う一方、他方端４１ｂが凹部６１ｂを形成する吸水性繊維３１と絡み合っている。このように、コットン繊維４１が長手方向Ｙへ互いに隣り合う凹部６０に跨るように延在することによって、コットン繊維４１が１つの凹部６０を形成する吸水性繊維３１にのみ絡み合う場合に比べてより強固に被覆層４０と吸収層３０とを結合させることができる。なお、凹部６１ａと凹部６１ｂとの長手方向Ｙにおける離間寸法Ｒ１は、例えば、３〜２５ｍｍである。
【００３６】
また、通常、コットン繊維の繊度は比較的に小さいことから毛羽立ち易く、被覆層にコットン繊維を使用した場合には、使用後に膣腔内から経血を吸収した吸収体を取り出すときに、摩擦によってコットン繊維が毛羽立って膣腔内に残留するおそれがある。本実施形態においては、コットン繊維４１が長手方向Ｙにおいて隣り合う凹部６０間を跨ぐように配置され、かつ、凹部６０において吸水性繊維３１と絡み合うことによって、吸収体２０を使用後に膣腔内から引き取り出すときに、かかる繊維どうしの交絡が解除されて、コットン繊維４１が毛羽立つのを抑制することができる。
【００３７】
また、吸収層３０の吸水性繊維３１は、コットン繊維４１の繊維長よりも大きな繊維長を有している。具体的には、コットン繊維４１の繊維長が１０〜３０ｍｍであって平均繊維長が１３〜２０ｍｍであるのに対し、吸水性繊維３１の繊維長が２０〜７０ｍｍであって平均繊維長が２５〜５０ｍｍである。このように、比較的に吸水性繊維３１の繊維長が大きいことから、各凹部６０に誘導された経血を繊維の配向する方向へ速やかに移行させることができる。平均繊維長は、例えば、ＪＩＳ  Ｌ  １０１５：２０１０の附属書Ａの「Ａ７．１  繊維長の測定」の「Ａ７．１．１  Ａ法（標準法）目盛りが付いたガラス板上で個々の繊維の長さを測定する方法」に従って測定される。なお、上記方法は、１９８１年に発行されたＩＳＯ  ６９８９に相当する試験方法である。
【００３８】
被覆層４０のコットン繊維４１と吸収層３０の吸水性繊維３１とは、長手方向Ｙへ配向している。このように、吸収体２０を構成する繊維３１，４１が長手方向Ｙへ配向することによって、経血を長手方向Ｙへ速やかに拡散させることができる。なお、繊維３１，４１が「長手方向Ｙへ配向する」とは、繊維３１，４１全体のうちの５０質量％以上の繊維が、長手方向Ｙに対して＋４５度から−４５度の範囲内に向いていることを意味する。繊維配向の測定は、株式会社キーエンス製のデジタルマイクロスコープＶＨＸ−１００を用いて行うことができる。
【００３９】
既述のとおり、吸収体２０の複数の凹部６０は、長手方向Ｙへ間隔を空けて配置されている。このように、凹部６０が長手方向Ｙへ間隔を空けて配置されて複数の列Ｌ１−Ｌ３を形成していることによって、被覆層４０及び吸収層３０の各繊維３１，４１が長手方向Ｙに配向していることと相俟って、経血を長手方向Ｙへ速やかに拡散することができる。
【００４０】
また、短手方向Ｘにおいて隣り合う列Ｌ１−Ｌ４の凹部６０は、短手方向Ｘにおいて互いに並ぶように配置されていない。互いに隣り合う列Ｌ１−Ｌ４の凹部６０が短手方向Ｘに沿って互いに並んで配置された場合には、吸収体２０の短手方向Ｘの剛性が比較的に低くなって、使用後に膣腔内から引き出すときに腰折れしてしまい、引き出し難くなるおそれがある。ここで、「隣り合う列Ｌ１−Ｌ４の凹部６０が短手方向Ｘに沿って互いに並ぶように配置されていない」とは、例えば、第１列Ｌ１の凹部６０を短手方向Ｘへ平行移動したときに、第２列Ｌ２の凹部６０の一部と重ならないことを意味する。
【００４１】
図３（ａ）を参照すると、厚さ方向Ｚにおいて互いに対向する、第１面２１ａに位置する凹部６０と第２面２１ｂに位置する凹部６０とは、短手方向Ｘにおいて僅かに位置ずれしている。すなわち、厚さ方向Ｚにおいて互いに対向する凹部６０どうしはその中心が短手方向Ｘにおいてずれて配置されており完全に重なっていないことから、それらが厚さ方向Ｚにおいて完全に一致して配置される場合に比べて、吸収体２０の凹部６０どうしの対向する部分の剛性が局所的に低くなって、吸収体が歪に変形するのを抑制することができる。
【００４２】
吸収層３０は、カード機を経た繊維束を複数重ねて形成した積層体であって、被覆層４０は、スパンレース繊維不織布から形成されていてもよい。かかる場合には、吸収層３０と被覆層４０とのいずれにおいても熱可塑性合成繊維が溶着されたボンディング部分を有することがないので、吸収体２０全体として柔軟性に優れる。
【００４３】
また、被覆層４０がスパンレース繊維不織布から形成された場合には、被覆層４０の表面には、短手方向（製造時の機械方向と交差する方向）Ｘにおいて互いに間隔を空けて並び、かつ、長手方向（製造時の機械方向）Ｙへ延びる複数の凹溝が形成される。被覆層４０自体に長手方向Ｙへ延びる複数の凹溝が形成されることによって、吸収体２０の表面において経血を長手方向Ｙへ拡散しやすくなる。
【００４４】
図５（ａ）を参照すると、被覆層４０は、吸収層３０を被覆する主体部７０と、主体部７０から延出する延出部分（自由端部）７１とを有する。延出部分７１は、主体部７０に折り重ねた状態で複数の凹部６０を介して主体部７０の表面に仮止めされている。このように、延出部分７１が主体部７０に仮止めされていることによって、吸収体２０を膣腔内に挿入するときに延出部分７１が主体部７０から離間して操作の邪魔になることはない。
【００４５】
図５（ｂ）を参照すると、生理用タンポン１０の使用後において、吸収体２０が経血を吸収して被覆層４０全体に経血が拡散した状態において、比較的に多量の経血を吸収、保持した場合には、吸収層３０と接する主体部７０のみならず、延出部分７１にも経血が拡散される。延出部分７１に経血が拡散されることによって、延出部分７１を仮止めしている凹部６０において互いに絡み合う吸収性繊維３１とコットン繊維４１とが経血を吸収して膨潤し、繊維どうしの交絡が解かれて、仮止めされた状態が解除される。仮止めされた状態が解除されることによって、延出部分７１は主体部７０から離間して起立した状態となる。
【００４６】
このように、使用後に吸収層３０と直接接触しない延出部分７１にまで経血が拡散したときに、延出部分７１が起立することになるので、使用者は吸収体２０を膣腔内から取り出したときにより多量の経血が排泄されたことを認識することができる。一方、使用後において延出部分７１にまで経血が拡散されることはなく、その仮止めが解除されずに主体部７０に倒伏した状態が維持されている場合には、使用者は比較的に少量の経血が排泄されたことを認識することができる。したがって、被覆層４０の延出部分７１は、経血の排泄量を知らせるインジケータとしての機能を有するものといえる。
【００４７】
生理用タンポンを構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００４８】
１０  生理用タンポン
２０  吸収体
３０  吸収層
３１  吸水性繊維
４０  被覆層
４１  天然繊維（オーガニックのコットン繊維）
６０  凹部
７０  主体部
７１  延出部分
Ｘ  短手方向
Ｙ  長手方向
【図１】
2020089980.tif 000003
【図２】
2020089980.tif 000004
【図３】
2020089980.tif 000005
【図４】
2020089980.tif 000006
【図５】
2020089980.tif 000007
【国際調査報告】
2020089980.tif 000008
2020089980.tif 000009
2020089980.tif 000010
2020089980.tif 000011